(57)【要約】【課題】簡単な回路構成によって、炊飯プログラムが終了した後の待機状態における消費電力０Ｗを実現することができる、節電効果の高い炊飯器を得ること。【解決手段】被炊飯物を入れる内鍋と、前記内鍋を取り出し可能に収容する内鍋収容部を有する炊飯器本体２０と、前記内鍋収容部を開閉可能に覆う蓋体１０と、前記内鍋を加熱する加熱手段と、前記加熱手段を制御して炊飯プログラムを実行する制御手段と、前記加熱手段および前記制御手段を含む負荷回路を動作させるための電力を供給する電源回路と、ユーザが前記制御手段による制御内容を指示するための操作手段１３とを備えた炊飯器であって、前記電源回路と前記負荷回路との間に電力を消費せずに切断状態を維持できる電源ラインスイッチをさらに備え、前記炊飯プログラムが終了した後に、前記電源ラインスイッチが前記電源回路から前記負荷回路への電力の供給を停止する。【選択図】図１
2014023855.tif 000002
【特許請求の範囲】
【請求項１】
被炊飯物を入れる内鍋と、
前記内鍋を取り出し可能に収容する内鍋収容部を有する炊飯器本体と、
前記内鍋収容部を開閉可能に覆う蓋体と、
前記内鍋を加熱する加熱手段と、前記加熱手段を制御して炊飯プログラムを実行する制御手段と、前記加熱手段および前記制御手段を含む負荷回路を動作させるための電力を供給する電源回路と、ユーザが前記制御手段による制御内容を指示するための操作手段とを備えた炊飯器であって、
前記電源回路と前記負荷回路との間に電力を消費せずに切断状態を維持できる電源ラインスイッチをさらに備え、前記炊飯プログラムが終了した後に、前記電源ラインスイッチが前記電源回路から前記負荷回路への電力の供給を停止することを特徴とする炊飯器。
【請求項２】
前記電源ラインスイッチが、ラッチングリレーにより構成されている請求項１に記載の炊飯器。
【請求項３】
前記電源ラインスイッチは、ユーザによる炊飯器の操作を機械的手段により検知して、前記電源回路から前記負荷回路への電力の供給を再開させる請求項１または２に記載の炊飯器。
【請求項４】
ユーザにより前記蓋体の開閉が行われたことを、前記蓋体のロックレバーに配置された機械的スイッチにより検出する請求項３に記載の炊飯器。
【請求項５】
ユーザにより前記操作手段に配置された操作ボタンが操作されたことを、前記操作ボタンに配置した機械的スイッチにより検出する請求項３に記載の炊飯器。
【発明の詳細な説明】
【技術分野】
【０００１】
本発明は炊飯器に関し、特に、動作待機中の消費電力を低減した炊飯器に関するものである。
【背景技術】
【０００２】
近年、炊飯器は、内鍋の周囲に配置された温度センサにより検出された内鍋温度に基づいて、加熱手段であるＩＨコイルやヒータへの通電電流をマイクロコンピュータ（マイコン）によって制御し、吸水工程、昇温工程、炊き上げ工程（沸騰工程）、追い炊き工程、むらし工程という炊飯工程それぞれにおいて内鍋の温度を細かく調整することで、炊飯量や環境温度の変化に左右されずにおいしいお米を炊くことができるようになっている。
【０００３】
このような炊飯器においては、保温機能を備え、炊飯完了後に保温工程へと移行することを選択可能な炊飯プログラムを備えていることが多い。保温機能を備えた炊飯器において、ユーザが炊飯完了後に保温工程に移行することを選択した場合には、炊飯工程終了後の内鍋の温度を、設定された保温時間の間所定の温度に保つことで、内鍋内部の炊きあがったお米をある程度の時間が経過した後でも炊きたてに近い状態に維持することができる。
【０００４】
また、このような炊飯器においては、予約炊飯機能を備え、ユーザが所定量の米と水とを内鍋内部に投入した後、操作ボタンによって炊飯完了時間を設定すると、マイコンが指定された炊飯完了時間から逆算した炊飯開始時間に炊飯工程をスタートさせて、ユーザが設定した時間にお米を炊き上げることができる炊飯プログラムを備えたものが多い。
【０００５】
このような炊飯器において、炊飯プログラムが終了した後の時間など、炊飯器の電源プラグがコンセントに接続されている状態で、炊飯器が動作していない場合には、時刻やタイマー表示などを行う表示部や、加熱ヒータを動作させるための駆動回路など、炊飯プログラムが完了した後の状態でも機能させておくべき部分への電力供給状態が維持されるとともに、炊飯器全体の動作を制御するマイコンやユーザからの指示を受け付けるスイッチ部の電力などへの電力供給が維持されていて、ユーザからの新たな指示があった場合には直ちにその指示を実行できるようになっている。このため、待機状態といえども、０．５Ｗから３Ｗ程度の待機時消費電力を消費している。
【０００６】
一方で、近年の節電志向の高まりとともに、炊飯器においても待機時の消費電力を０Ｗとする省電力設計のものが求められるようになっている。
【０００７】
このような、待機時の消費電力０Ｗを実現する炊飯器として、待機時には電源回路からの電力の供給を完全に停止する省電力モードを備え、省電力モード時にユーザによるスイッチ操作があった場合にこれを感知し、電源回路からの電力供給を再開できるように、特定の負荷部品にのみ電力を供給するバックアップ用の電池回路を備えたものが提案されている（特許文献１参照）。
【０００８】
上記特許文献１に記載の炊飯器は、バックアップ用の電池回路を備えることで、従来１〜２Ｗ程度必要であった待機状態の消費電力を０Ｗとすることができる。また、バックアップ電池の状態を検出して、電池容量が少なく十分なバックアップが不可能な場合には、省電力モードへの移行ができなくなるように制御されるため、炊飯器への電力供給が完全に停止してしまった場合に生じる、時刻設定のズレなどの弊害を予め回避することができる。
【先行技術文献】
【特許文献】
【０００９】
【特許文献１】特開２００１−１２０４２３号公報
【発明の概要】
【発明が解決しようとする課題】
【００１０】
しかし、上記従来の炊飯器では、バックアップ用の一次電池の容量が残存しいてない場合には、ユーザが電池を交換しないと省電力モードに移行しないため、一次電池の状態によっては、待機時においても消費電力が０Ｗとならない場合が生じることになる。これでは、節電志向の高いユーザに対して、待機時の消費電力０Ｗを謳うことができない。
【００１１】
本発明はこのような従来の炊飯器における課題を解決するものであり、簡単な回路構成によって、炊飯プログラムが終了した後の待機状態における消費電力０Ｗを実現することができる、節電効果の高い炊飯器を得ることを目的とする。
【課題を解決するための手段】
【００１２】
上記課題を解決するため、本発明の炊飯器は、被炊飯物を入れる内鍋と、前記内鍋を取り出し可能に収容する内鍋収容部を有する炊飯器本体と、前記内鍋収容部を開閉可能に覆う蓋体と、前記内鍋を加熱する加熱手段と、前記加熱手段を制御して炊飯プログラムを実行する制御手段と、前記加熱手段および前記制御手段を含む負荷回路を動作させるための電力を供給する電源回路と、ユーザが前記制御手段による制御内容を指示するための操作手段とを備えた炊飯器であって、前記電源回路と前記負荷回路との間に電力を消費せずに切断状態を維持できる電源ラインスイッチをさらに備え、前記炊飯プログラムが終了した後に、前記電源ラインスイッチが前記電源回路から前記負荷回路への電力の供給を停止することを特徴とする。
【発明の効果】
【００１３】
本発明の炊飯器は、炊飯プログラムが終了した後、電力を消費せずに切断状態を維持できる電源ラインスイッチが、電源回路から負荷回路への電力の供給を停止する。このため、炊飯プログラム終了後の待機状態における消費電力をほぼ０Ｗとすることができ、節電効果の高い炊飯器を実現することができる。
【図面の簡単な説明】
【００１４】
【図１】本発明の実施形態にかかる炊飯器の外観を示す斜視図である。
【図２】本発明の実施形態にかかる炊飯器における、電源ラインスイッチの構成例を示す回路ブロック図である。
【図３】本発明の実施形態にかかる炊飯器における、電源ラインスイッチの動作例を説明するフローチャートである。
【発明を実施するための形態】
【００１５】
本発明の炊飯器は、被炊飯物を入れる内鍋と、前記内鍋を取り出し可能に収容する内鍋収容部を有する炊飯器本体と、前記内鍋収容部を開閉可能に覆う蓋体と、前記内鍋を加熱する加熱手段と、前記加熱手段を制御して炊飯プログラムを実行する制御手段と、前記加熱手段および前記制御手段を含む負荷回路を動作させるための電力を供給する電源回路と、ユーザが前記制御手段による制御内容を指示するための操作手段とを備えた炊飯器であって、前記電源回路と前記負荷回路との間に電力を消費せずに切断状態を維持できる電源ラインスイッチをさらに備え、前記炊飯プログラムが終了した後に、前記電源ラインスイッチが前記電源回路から前記負荷回路への電力の供給を停止する。
【００１６】
本発明の炊飯器は、上記構成を備えることで、炊飯工程終了後、もしくは、ユーザが選択した保温工程の終了後である炊飯プログラムの終了後に、電源ラインスイッチが電源回路から負荷回路への電力供給を停止する。本発明の炊飯器における電源ラインスイッチは、電力を消費せずに切断状態を維持できるため、炊飯プログラム終了以降の待機状態における消費電力をほぼ０Ｗとすることができる。特に、従来技術のように、一次電池によるバックアップ電源を備えていないため、待機状態の消費電力０Ｗ状態への移行がバックアップ電源の状態により左右されるなどという問題が生じず、確実に待機時の消費電力０Ｗを実現することができる。
【００１７】
上記本発明にかかる炊飯器において、前記電源ラインスイッチが、ラッチングリレーにより構成されていることが好ましい。スイッチの切り替え時だけ消費電力が発生するラッチングリレーを用いることで、待機状態での消費電力０Ｗ化を容易に実現することができる。
【００１８】
また、前記電源ラインスイッチは、ユーザによる炊飯器の操作を機械的手段により検知して、前記電源回路から前記負荷回路への電力の供給を再開させることが好ましい。このようにすることで、負荷回路への電力の供給が停止している場合でも、ユーザにより炊飯器が操作されたことを検出することができる。
【００１９】
この場合において、ユーザにより前記蓋体の開閉が行われたことを、前記蓋体のロックレバーに配置された機械的スイッチにより検出することができ、また、ユーザにより前記操作手段に配置された操作ボタンが操作されたことを、前記操作ボタンに配置した機械的スイッチにより検出することができる。
【００２０】
以下、本発明にかかる炊飯器について、具体的な実施形態を用いて説明する。
【００２１】
図１は、本実施形態の炊飯器の外観を示す斜視図である。
【００２２】
本実施形態の炊飯器は、図１に示すように、米と水、さらに、具入り炊飯モードでは野菜や豆類、肉類などの各種の具である被炊飯物を入れる図示しない内鍋と、この内鍋を収容することができる炊飯器本体２０と、炊飯器本体２０の上部開口を開閉自在に閉塞できる蓋体１０とを有している。
【００２３】
蓋体１０には、ユーザが炊飯器に各種設定を与えるための操作部１１が配置されている。
【００２４】
操作部１１には、ユーザが調理するメニューの選択や火加減、保温工程の保温設定時間などを選択するための複数のメニューボタン１２と、調理の開始や予約操作、操作の取消などを指示するための複数の操作ボタン１３が配置されている。また、メニューボタン１２や操作ボタン１３での選択状況や、調理時には調理状態や残り時間などを表示する、液晶パネルその他の画像表示パネルにより形成された表示部１４が配置されている。
【００２５】
本実施形態の炊飯器は、内鍋内部の圧力を調整して炊飯を行う圧力炊飯が可能な炊飯器であるため、蓋体１０には、蓋体１０が閉じた状態で内鍋内部の圧力を所定の圧力に調整可能な、圧力調整手段である圧力弁が配置されている。また、蓋体１０には、圧力弁が開放されている際に内鍋内部で発生した蒸気が放出される蒸気放出口１５を備えた調圧キャップ１６が配置されている。調圧キャップ１６は、内部で気液分離したおねばを内鍋内に戻す働きをする。
【００２６】
蓋体１０の上面における正面手前側には、ロックボタン１７が設けられ、蓋体１０が閉じている状態でロックボタン１７を押し込むと、蓋体１０のロックが外れ、バネ機構により蓋体１０全体が後方側、すなわち、図１における右奥側に開くようになっている。また、本実施形態の炊飯器では、ロックボタン１７に連動して動作する図示しない機械的なスイッチ機構であるマイクロスイッチが配置されている。
【００２７】
なお、蓋体１０内部の操作部１１の下側に位置する部分には、操作部１１の各種メニューボタン１２および操作ボタン１３に対応して動作する動作回路と、表示部１４での表示画像を出力する駆動回路などが含まれた図示しない回路部が設けられている。また、本実施形態の炊飯器において、ユーザにより操作手段であるメニューボタン１２および操作ボタン１３によって設定された調理プログラムに従って、炊飯工程やその他の各種の調理工程を実行制御する制御回路が搭載された制御手段であるマイコン（図示省略）も、回路部を構成する回路基板上に搭載されている。
【００２８】
本実施形態の炊飯器では、回路部に配置されたマイコンに含まれた制御回路が、図示しない温度センサからの出力に基づいて加熱手段への通電を制御して、内鍋の温度制御を行うとともに、前記した圧力調整手段である圧力弁を制御して、内鍋内部の圧力を所定の値に調整する。
【００２９】
本実施形態の炊飯器では、蓋体１０と炊飯器本体２０とがしっかりと押さえつけられて固定された際、蓋体１０の内側表面に配置された図示しないパッキン材が、内鍋の内側面上端部近傍などに当接して、蓋体１０は、内鍋の上部開口を気密状態を保持して封鎖することができ、圧力弁を調整することで内鍋内部の圧力を一例として最大１．２５気圧まで高めることができる。
【００３０】
炊飯器本体２０の内鍋収容部の周囲には、加熱手段としての誘導加熱用コイルが配置されていて、非金属製の土鍋である内鍋の外表面に形成された発熱体内部で渦電流を生じさせて発熱させる。また、内鍋収容部の側面部分には、輻射熱により内鍋の側面外側を直接暖めるヒータが配置されている。このヒータは、主として保温工程で使用される。
【００３１】
本体部２０の下部後方側には、商用電源であるコンセントに接続されて、本体部内部に配置された図示しない電源回路に電力を供給するための電源コードが配置されている。電源回路から、上記した制御回路や回路部、加熱手段などにより構成される負荷回路に電力が供給されて、炊飯器が動作する。
【００３２】
図２は、本実施形態の炊飯器における、電源ラインスイッチを含む電源回路の回路構成を示す回路ブロック図である。
【００３３】
図２に示すように、本実施形態の電源回路は、整流回路３２、ドロップ抵抗３３、電源ラインスイッチであるラッチングリレー３４を備えている。商用電源３１からの交流電力は、整流回路３２で直流電圧に変換され、ドロップ抵抗３３を介することで所定の直流動作電圧（一例として２４Ｖ）に減圧されて、電源ラインスイッチであるラッチングリレー３４に入力される。
【００３４】
本実施形態の炊飯器の電源ライン回路に採用されているラッチングリレー３４は、電源端子であるＡ２端子の他に、２つの入力端子であるＡ１端子とＡ３端子とを備えていて、Ａ１端子に０Ｖ電圧が入力されるとリレーがＯＮとなってＮＯ端子とＣＯ端子とが接続され、Ａ３端子に０Ｖ電圧が入力されると、リレーがＯＦＦとなって、ＮＯ端子とＣＯ端子との接続が解除される。そして、本実施形態の炊飯器における電源ライン回路では、制御回路であるマイコンからの信号入力があると、フォトカプラ３５を介してＡ３端子に０Ｖが入力され、機械的スイッチ３６が操作されるとＡ１端子に０Ｖが入力される。このため、マイコンからの信号入力を検出すると、リレーがＯＦＦとなって電源回路から負荷回路への電力の供給が停止され、機械的スイッチ３６が操作されると、リレーがＯＮとなって電源回路から負荷回路への電力の供給が再開される。
【００３５】
本実施形態の炊飯器では、電源ライン回路が図２に示す構成となっているため、炊飯工程、もしくは、保温工程への移行が選択されている場合には保温工程が終了した炊飯プログラムの終了後に、制御手段であるマイコンが備えるタイマー回路によって、例えば１０分間などの予め設定されていた所定の時間が経過した後に、省電力状態の待機状態へと移行することを指示する信号が出力される。この信号によって、ラッチングリレー３４のＡ３端子に０Ｖ電圧が入力されることでラッチングリレーがＯＦＦとなり、ＡＣラインへの電力供給が停止される。この結果、加熱手段はもちろん、制御回路が搭載されたマイコンや、操作部の各種メニューボタン１２および操作ボタン１３に対応して動作する動作回路、表示部１４での表示画像を出力する駆動回路などが含まれた回路部を含めた負荷回路と電源回路とが切断されて、負荷回路への電力供給が停止される。
【００３６】
また、本実施形態の炊飯器では、図２に示した電源ライン回路の機械的スイッチ３６が、上記した蓋体１０の開閉を制御するロックボタン１７に連動するマイクロスイッチとして配置されている。このため、ユーザが炊飯器を使用するために蓋体１０の開閉を行うと、ロックボタン１７に連動した電源ライン回路の機械的スイッチ３６がＯＮとなって、ラッチングリレー３４のＡ１端子に０Ｖが入力され、負荷回路への電力供給が再開される。このように、炊飯器が省電力状態の待機モードとなっていて負荷回路に電源回路からの電力の供給が停止されていても、ユーザが炊飯器を操作したことを機械的スイッチにより検出することができるので、負荷回路への電力の供給が再開され以降は、ユーザが表示部１４の表示画像を見ながら操作ボタン等を操作することができ、好みの調理プログラムを設定して、調理を開始することができる。
【００３７】
以下、本実施形態の炊飯器における、電源回路の制御動作の流れについて説明する。図３は、本実施形態の炊飯器の電源ライン回路の動作フローを説明するためのフローチャートである。
【００３８】
図３に示すように、最初のステップＳ１０１で電源回路から負荷回路への通電が開始される。
【００３９】
引き続き次のステップＳ１０２でマイコン内のタイマーカウンターがリセットされる。
【００４０】
次のステップＳ１０３で、炊飯器が予約炊飯における予約時間中であるか否かを判断する。予約炊飯の予約時間中であれば(Ｙｅｓの場合)ステップＳ１０４で予約動作を継続した後、ステップＳ１０２に戻ってタイマーカウンターがリセットされる。
【００４１】
予約炊飯の予約時間中ではない場合(Ｎｏの場合)には、ステップＳ１０５で保温工程の最中であるか否かを判断する。保温工程中であれば(Ｙｅｓの場合)、保温動作を継続し(ステップＳ１０６)、ステップＳ１０２に戻ってタイマーカウンターがリセットされる。
【００４２】
保温工程中ではない場合(Ｎｏの場合)には、ステップＳ１０７で炊飯工程の最中であるか否かを判断する。炊飯工程中であれば(Ｙｅｓの場合)、炊飯動作を継続し(ステップＳ１０８)、ステップＳ１０２に戻ってタイマーカウンターがリセットされる。
【００４３】
炊飯工程ではない場合(Ｎｏの場合)には、炊飯器は動作していない状態であると判断して、ステップＳ１０９においてタイマーカウンターが加算される。
【００４４】
続いてステップＳ１１０で、ユーザによりキー操作が為されたか否かが判断される。キー操作がされた場合（Ｙｅｓの場合）には、ステップＳ１１１において一旦タイマーカウンターがリセットされる。キー操作が為されていない場合には（Ｎｏの場合）、ユーザは炊飯器を操作することを意図していないと判断できるので、ステップＳ１１２において、炊飯器の動作が終了した後に所定時間（上記一例としての１０分間）が経過したか否かが判断される。
【００４５】
そして、タイマーが加算された結果、所定時間が経過した場合には（Ｙｅｓの場合）、ステップＳ１１３でマイコンから電源ライン回路のラッチングリレー３４をＯＦＦにする信号が出力されて、電源回路と負荷回路との接続が遮断される。炊飯器は、省電力状態の待機状態に移行する。
【００４６】
一方、ステップＳ１１２において、所定時間が経過していないと判断された場合には（Ｎｏの場合）、ステップＳ１０３に戻って、炊飯器が予約動作中であるか（ステップＳ１０３）、保温工程中であるか(ステップＳ１０５)、炊飯工程中であるか（ステップＳ１０７）が順次判断されて、いずれもＮｏの場合には、ステップＳ１０９でタイマーカウンターが加算され、所定時間が経過してステップＳ１１２でＹｅｓと判断されるまでこの動作が繰り返される。なお、ステップＳ１１０で、ユーザによりキー操作がされたと判断された場合(Ｙｅｓの場合)には、ステップＳ１１１でタイマーカウンターがリセットされるため、ステップＳ１１２では当然所定時間が経過していないと判断されて、この場合もステップＳ１０３に戻る。そして、同様に、予約工程中であるか、保温工程中であるか、炊飯工程中であるかが順次判断され（ステップＳ１０３、Ｓ１０５、Ｓ１０７）、タイマーカウンターがステップＳ１０９で加算されて、所定時間が経過したとステップＳ１１２で判断されるまで繰り返される。
【００４７】
ステップＳ１１３で、マイコンから省電力モードへと移行する信号が出された後、ユーザが蓋体１０の開閉を行うことでロックボタン１７が操作されると、連動する機械的スイッチ３６によりラッチングリレー３４が操作され、リレーがＯＮとなって(ステップＳ１１４)冒頭の通電開始状態（ステップＳ１０１）に戻る。
【００４８】
以上説明したように、本実施形態の炊飯器は、予約設定や保温工程を含む炊飯プログラムが終了した後、ユーザが炊飯器の操作を行わない状態が所定時間経過すると、マイコンが省電力モードに移行する信号を発して、ラッチングリレーの接続がＯＦＦとなって、電源回路から負荷回路への電力供給が停止される。
【００４９】
なお、ラッチングリレーは、リレーの切り替え時以外には電力を消費せず、リレーが接続されている状態、または、リレーが切断されている状態を維持することができる。また、本実施形態の炊飯器では、ラッチングリレーによるリレーの切断状態からの復帰を、蓋体の開閉をロックするロックレバーに連動する機械的スイッチにより行うため、省電力状態の待機状態の維持と、その回復を可能とする状態を維持するために電力を消費することがない。このため、省電力状態の待機状態における消費電力を、０．００５５Ｗｈと、消費電力をほぼ０Ｗとすることができる。
【００５０】
なお、上記実施形態では、電源ラインスイッチであるラッチングリレーの切断状態を回復させるための復帰スイッチとして、蓋体の開け閉めをロックするロックレバーに連動する機械的スイッチであるマイクロスイッチとしてユーザによる蓋体の開閉を検出して、これをユーザが炊飯器を使用する意図を有している状態であると判断した。ユーザが使用を停止していた炊飯器を動作させ、新たな調理を行う場合には、蓋体を開けて内鍋内に米や水などの被調理物を投入することが必要であるため、蓋体の開閉を用いてユーザによる炊飯器使用再開の意図を検出することができるからである。
【００５１】
しかし、ユーザによる炊飯器使用再開の意図を検出する手段は、これに限られず、例えば操作部の電源ボタンに、通常の電気的スイッチに加えて機械的スイッチであるタクトスイッチを配置して、これをラッチングリレー３４の切断状態を回復させるための復帰スイッチである機械的スイッチ３６とすることができる。本実施形態の炊飯器では、省電力状態の待機状態では、操作部や表示部の全ての表示が消灯している状態となるため、炊飯器の使用再開を意図するユーザは、まず電源を入れようと電源ボタンを操作すると考えることができるからである。もちろん、電源ボタン以外にも、例えば調理再開を指示するための専用のボタンを配置して、このボタンに機械的なタクトスイッチを配置して、ユーザの炊飯器使用再開の意図を検出するようにすることができる。
【００５２】
また、本実施形態の電源ラインスイッチとして、最も一般的であるラッチングリレーを用いる例を開示したが、少なくとも電源回路と負荷回路とを切断している状態を、電力を消費せずに維持することができて、かつ、機械的スイッチにより電源回路と負荷回路との接続を回復することができる他のスイッチ部材を、電源ラインスイッチとして用いることができる。
【００５３】
なお、本実施形態にかかる炊飯器において、炊飯プログラム以外の他の調理プログラムを備えることができ、このような他の調理プログラムが終了した場合において、所定時間経過後に省電力状態の待機状態に移行できるようにすることができる。
【００５４】
また、上記実施形態では、圧力炊飯方式が採用され、内鍋が非金属製のいわゆる土鍋釜である炊飯器を例に本発明を説明したが、圧力炊飯方式を採用していない炊飯器や金属製の内鍋を使用する他の各種炊飯器においても、使用されていない状態が所定時間継続した後に省電力状態の待機状態に移行するという本発明を、好適に適用することができることは言うまでもない。
【産業上の利用可能性】
【００５５】
本発明の炊飯器によれば、炊飯プログラムが終了した後、ユーザが所定時間操作しなかった場合には消費をほぼ０Ｗとする省電力状態の待機状態に移行することができ、省電力を実現した炊飯器として有用である。
【符号の説明】
【００５６】
１０    蓋体
１３    操作ボタン（操作手段）
２０    炊飯器本体
【図１】
2014023855.tif 000003
【図２】
2014023855.tif 000004
【図３】
2014023855.tif 000005